【事件の表示】
　平成　９年特許願第１４９２２８号「光ディスク装置」拒絶査定に対する審判事件［平成１０年１２月２２日出願公開、特開平１０−３４０４７０］について、次のとおり審決する。
【結　論】
　本件審判の請求は、成り立たない。
【理　由】
１．手続の経緯・本願発明
　本願は、平成９年６月６日の出願であって、その請求項１乃至４に係る発明は、請求項１乃至４に記載された事項により特定されるとおりのものと認められるところ、その請求項１の記載は次のとおりである。（以下「本願発明」という。）
「光ディスク媒体に対しレーザ光ビームを照射する光ヘッドと、前記レーザ光ビームの発光を制御するレーザ光制御部と、操作スイッチ部とを有し、前記レーザ光制御部は、情報記録時には２段階の光強度Ｐｗ１およびＰｗ２のレーザ光ビームを、情報再生時には光強度Ｐｒのレーザ光ビームを前記光ヘッドから前記光ディスク媒体に対しそれぞれ照射可能であり、各光強度の関係がＰｗ１＞Ｐｗ２＞Ｐｒである光ディスク装置において、
　前記操作スイッチ部が、消去スイッチを有しており、
　前記レーザ光制御部が、前記消去スイッチがオンされた時に、Ｐｗ１＞Ｐｅ＞Ｐｒの関係を満たす光強度Ｐｅのレーザ光ビームを前記光ヘッドから前記光ディスク媒体に照射させることを特徴とする光ディスク装置。」
　なお、平成１２年１１月６日付の手続補正は、却下されたので、これは願書に最初に添付された明細書に記載されたものである。
　（この却下に際しては、平成１４年６月２７日付（平成１４年７月２日発送）の審尋により、意見を求めたが、請求人からは何らの応答もない。そして、この補正却下の理由は妥当であると認められる。）
　
２．引用刊行物
　これに対して原査定の拒絶の理由に引用された特開平６−１５０３１９号公報（以下「引用刊行物１」という。）には、書換型光ディスクの技術に関し、次の事項からなる発明が記載されている。
（１）「本発明の上記目的は、レーザ光を用いて、記録媒体上に未記録部分とは物理的に異なる記録領域を形成することにより、情報の記録，再生あるいは消去を行う情報の記録制御方式において、前記レーザ光のレベルを再生レベル，プリヒートレベル(または消去レベル)および複数のレベルから成る記録レベルから構成するとともに、……レーザ光のレベルが再生レベル、プリヒートレベルまたは消去レベル、それに複数のレベルから成る記録レベルまたは消去レベルから構成され、その記録パルスまたは消去パルス(または記録補助パルス)が複数のパルスから成り、……記録レベルからのプリヒートレベルまたは消去レベルへのエネルギーの流入を制御することを特徴とする情報の記録制御方式によって達成される。」（段落【０００４】）
　この記載および第１図を参照すれば、引用刊行物１には、「記録媒体に対しレーザ光を照射する記録制御方式において、前記レーザ光は、複数のレベルから成る記録レベルＰｗ１およびＰｗ２のレーザ光ビームを、再生時には光強度Ｐｒのレーザ光ビームをそれぞれ照射可能であり、各光強度の関係がＰｗ１＞Ｐｗ２＞Ｐｒである記録制御方式であって、消去レベルＰａｓは、Ｐｗ１＞Ｐａｓ＞Ｐｒの関係を満たす記録制御方式」の発明が記載されており、実質的にこのような記録制御方式を達成するための光ディスク装置の構成が記載されていると認められる。
　同じく原査定の拒絶の理由に引用された特開平４−２４５０３６号公報（以下「引用刊行物２」という。）には、書換型光ディスクの技術に関し、次の事項からなる発明が記載されている。
（２−１）「【請求項１】
　光ディスクに対して光を照射して情報を記録，再生及び消去する光ディスク装置において、前記情報の記録，前記再生及び消去を読み出しモード，消去モード，書き込みモード及びオーバーライトモードとするパワー変調手段を設けたことを特徴とする光ディスク装置。」
（２−２）「【０００５】　　【課題を解決するための手段】　上記目的を達成するために、本発明は以下の光ディスクへ照射する光のパワー変調を単独もしくは組み合わせて用いるものである。
【０００６】　（１）あらかじめ設定された、または、光ディスクより読みだされた読み出し光パワーレベルに応じて照射光レベルを設定し、その光による光ディスクからの反射光のパワーレベルより情報を読みだす読み出しモード。
【０００７】　（２）あらかじめ設定された、または、光ディスクより読みだされた消去光パワーレベルに応じて照射光パワーレベルを設定し、光ディスク上の情報を消去する消去モード。
【０００８】　（３）あらかじめ設定された、または、光ディスクより読みだされた書き込み光パワーレベルと読み出し光パワーレベルに対して、書き込む情報に応じて照射光パワーレベルを変調する書き込みモード。
【０００９】　（４）あらかじめ設定された、または、光ディスクより読みだされた書き込み光パワーレベルと消去光パワーレベルに対して、書き込む情報に応じて照射光パワーレベルを変調するオーバーライトモード。」
（２−３）「【００１６】　　【実施例】　以下、本発明の一実施例を図に基づいて説明する。図４は光ディスク装置の一例である。４０２は光ディスク装置、４０１は光ディスク装置を制御するホストコンピュータ、４０４はホストコンピュータ４０１からの制御命令、情報またはホストコンピュータ４０１への情報をやりとりするＳＣＳＩを制御するＳＣＳＩ制御ＬＳＩ、……。」
（２−４）「【００２４】　　【発明の効果】　本発明によれば、光ディスクに対する情報の記録，再生若しくは消去を行うことができる光ディスク装置において、（１）光ディスクに対する情報の記録，再生若しくは消去に対して読み込みモード，書き込みモード，消去モード及びオーバーライトモードの指定を行うことができる。」
　
３．対比
　引用刊行物１に記載された発明と本願発明とを対比すると、引用刊行物１に記載された「レーザ光を照射」する手段、および「消去レベルＰａｓ」が本願発明の「光ディスク媒体に対しレーザ光ビームを照射する光ヘッド」、および「光強度Ｐｅのレーザ光ビーム」に相当することは明らかであり、引用刊行物１に記載された発明が、そのレーザ光強度を制御するものであることから、「前記レーザ光ビームの発光を制御するレーザ光制御部」によって制御されることも明らかであるので、実質的に両者は
［一致点］
「光ディスク媒体に対しレーザ光ビームを照射する光ヘッドと、前記レーザ光ビームの発光を制御するレーザ光制御部を有し、前記レーザ光制御部は、情報記録時には２段階の光強度Ｐｗ１およびＰｗ２のレーザ光ビームを、情報再生時には光強度Ｐｒのレーザ光ビームを前記光ヘッドから前記光ディスク媒体に対しそれぞれ照射可能であり、各光強度の関係がＰｗ１＞Ｐｗ２＞Ｐｒである光ディスク装置において、
　前記レーザ光制御部が、Ｐｗ１＞Ｐｅ＞Ｐｒの関係を満たす光強度Ｐｅのレーザ光ビームを前記光ヘッドから前記光ディスク媒体に照射させることを特徴とする光ディスク装置。」である点で一致し
［相違点］
　本願発明では「操作スイッチ部」を有し、「操作スイッチ部」が、「消去スイッチを有しており」、「前記消去スイッチがオンされた時に」光強度Ｐｅのレーザ光ビームを前記光ヘッドから前記光ディスク媒体に照射させるものであるのに対し、引用刊行物１に記載された発明では、このような消去スイッチを有する操作スイッチに関して明記されていない点で相違している。
　
４．相違点に対する判断
　しかしながら、書換型の光ディスク装置において、消去モードを有する構成が引用刊行物２に記載されており、引用刊行物２に記載されたモード選択を行う構成は操作スイッチ部に相当するものであり、消去を選択する構成が消去スイッチに相当するものであることは明らかである。このような選択手段を電子的に構成することも物理的に構成することもともに普通に知られた構成であり、モード選択操作手段の構成は必要に応じて任意に設計し得る事項と認められる。そして各引用刊行物に記載された発明は、いずれも本願発明と同様に書換型光ディスク装置の技術分野に属するものでありので、引用刊行物１に記載されたようなものにおいて、引用刊行物２に記載されたように消去を選択できる構成とするとともに、選択手段を操作スイッチで構成することにより本願発明の構成とすることは、当業者が容易になし得たことと認められる。また、本願発明の奏する効果も各引用刊行物に記載された発明から予測し得る程度のものと認められる。
　
５．むすび
　したがって、本願発明は、引用刊行物１および２に記載された発明に基づいて当業者が容易に発明をすることができたものと認められるので特許法第２９条第２項の規定により特許を受けることができない。
　よって結論のとおり審決する。